(57)【要約】【課題】適切な栽培環境を容易に作ることが可能な栽培ハウスを提供する。【解決手段】植物を栽培するための栽培ハウスであって、植物を内部に収容し、水平軸周りに回転可能な中空状の第１の回転体を備え、第１の回転体は、側面の一部が遮光又は断熱されており、遮光又は断熱された部分が、植物の上方に位置した際に植物を覆うよう構成されている、栽培ハウス。【選択図】図１
2013039052.tif 000002
【特許請求の範囲】
【請求項１】
植物を栽培するための栽培ハウスであって、
前記植物を内部に収容し、水平軸周りに回転可能な中空状の第１の回転体を備え、
前記第１の回転体は、側面の一部が遮光又は断熱されており、前記遮光又は断熱された部分が、前記植物の上方に位置した際に前記植物を覆うよう構成されている、栽培ハウス。
【請求項２】
前記第１の回転体を内部に収容し、水平軸周りに回転可能且つ透明な中空状の第２の回転体をさらに備える、請求項１に記載の栽培ハウス。
【請求項３】
前記第２の回転体は、側面の一部が開放されている、請求項２に記載の栽培ハウス。
【請求項４】
前記第１の回転体内に設けられた第３の回転体であって、前記植物を内部に収容し、水平軸周りに回転可能な中空状の前記第３の回転体をさらに備え、
前記第３の回転体は、側面の一部が遮光又は断熱されており、前記遮光又は断熱された部分が、前記植物の上方に位置した際に前記植物を覆うよう構成されている、請求項１〜３のいずれかに記載の栽培ハウス。
【請求項５】
前記第１及び第３の回転体は、側面の一部が遮光されており、
前記第３の回転体の遮光された部分は、前記第１の回転体の遮光された部分と遮光率が異なる、請求項４に記載の栽培ハウス。
【発明の詳細な説明】
【技術分野】
【０００１】
本発明は、植物を栽培するための栽培ハウスに関する。
【背景技術】
【０００２】
従来、農作物等の植物を降雨等から保護し、あるいは温度環境を調整する等の目的で施設園芸が広く行われており、この施設園芸においては一般的に栽培ハウスが用いられている。この栽培ハウスは、例えば特許文献１に示されるように、アーチ状のフレームをビニールシートで覆い、栽培する植物をその内部に収容する構成となっている。
【先行技術文献】
【特許文献】
【０００３】
【特許文献１】特開２００３−６１４８１号公報
【発明の概要】
【発明が解決しようとする課題】
【０００４】
上述したような栽培ハウスにおいて植物を栽培する場合、夏季には植物が強い日差しに晒されないよう日光を遮断し、冬季には栽培ハウス内の温度が下がらないよう外気を遮断して、常に適切な栽培環境下に植物を置く必要がある。しかしながら、このように植物にとって適切な栽培環境を作るためには、栽培ハウス内に遮光ネットを別途設置し、あるいは栽培ハウスの壁面に断熱シートを貼り付けるといった面倒な作業を要するという問題があった。
【０００５】
そこで、本発明は、適切な栽培環境を容易に作ることが可能な栽培ハウスを提供することを課題とする。
【課題を解決するための手段】
【０００６】
本発明は、上記課題を解決するためになされたものであり、植物を栽培するための栽培ハウスであって、前記植物を内部に収容し、水平軸周りに回転可能な中空状の第１の回転体を備え、前記第１の回転体は、側面の一部が遮光又は断熱されており、側面の一部が遮光されている場合は前記遮光された部分が、側面の一部が断熱されている場合は前記断熱された部分が、前記植物の上方に位置した際に前記植物を覆うよう構成されている。また、本発明に係るハウスは、なお、本発明における「遮光」とは、外光を完全に遮断することだけではなく、外光の一部を遮断することをも含む概念であり、「植物を覆う」とは、第１の回転体の側面の一部が遮光されている場合は、外光が直接植物に当たらない程度に植物を覆い、また、第１の回転体の側面の一部が断熱されている場合は、植物の周囲の温度を維持できる程度に植物を覆うことを意味している。
【０００７】
上記栽培ハウスは、第１の回転体の側面の一部が遮光されている場合、第１の回転体を回転させて遮光された部分を植物の上方に配置するだけで、遮光された部分で植物を覆うことができ、外光が直接植物に当たるのを防ぐことができる。また、上記栽培ハウスは、第１の回転体の側面の一部が断熱されている場合、第１の回転体を回転させて断熱された部分を植物の上方に配置するだけで、断熱された部分で植物を覆うことができ、植物の周囲の温度を維持することができる。このように、上記栽培ハウスは、植物にとって適切な栽培環境を容易に作ることができる。
【０００８】
また、上記栽培ハウスは、第１の回転体を内部に収容し、水平軸周りに回転可能且つ透明な中空状の第２の回転体をさらに備えることができる。この構成によれば、第２の回転体によって風雨から植物を保護することができ、また、この第２の回転体を頑丈な材料で作製した場合は、第１の回転体の頑丈性を考慮する必要がなく、第１の回転体の材料を自由に選択することができる。さらに、降雪の際には、第２の回転体を回転させることにより第２の回転体から雪を落下させることもでき、雪の重量で栽培ハウスが破損するのを防止することもできる。
【０００９】
上記第１の回転体は、側面の一部が開放されていてもよい。これにより、栽培ハウス内に外気を取り込むことができ、栽培ハウス内の温度が上昇するのを抑制することができる。
【００１０】
また、上記栽培ハウスは、植物を内部に収容し、水平軸周りに回転可能な中空状の第３の回転体が第１の回転体内に設けられていてもよい。この第３の回転体は、側面の一部が遮光又は断熱されており、遮光又は断熱された部分が、植物の上方に位置した際に植物を覆うよう構成されている。これにより、第１及び第３の回転体の双方において側面の一部が遮光されている場合、第１の回転体の遮光された部分と第３の回転体の遮光された部分とを重ねて植物を覆ったり、第１及び第３の回転体の遮光された部分のいずれか一方で植物を覆ったりすることで、遮光率を変更することができる。また、第１及び第３の回転体の双方において側面の一部が断熱されている場合、第１の回転体の断熱された部分と第３の回転体の断熱された部分とを重ねて植物を覆うことで断熱性を向上させることができる。
【００１１】
第１及び第３の回転体の双方において側面の一部が遮光されている場合、第３の回転体の遮光された部分は、第１の回転体の遮光された部分と遮光率が異なることが好ましい。
【発明の効果】
【００１２】
本発明によれば、適切な栽培環境を容易に作ることができる。
【図面の簡単な説明】
【００１３】
【図１】本発明の第１実施形態に係る栽培ハウスの透視斜視図である。
【図２】上記第１実施形態に係る栽培ハウスの正面断面図である。
【図３】上記第１実施形態に係る栽培ハウスの側面断面図である。
【図４】上記第１実施形態に係る保持部材の正面断面図である。
【図５】上記第１実施形態に係る栽培ハウスの使用方法を示す正面断面図である。
【図６】上記第１実施形態の変形例に係る栽培ハウスの使用方法を示す正面断面図である。
【図７】本発明の第２実施形態に係る栽培ハウスの正面断面図である。
【図８】上記第２実施形態に係る栽培ハウスの使用方法を示す正面断面図である。
【図９】上記第２実施形態の変形例に係る栽培ハウスの使用方法を示す正面断面図である。
【図１０】上記第１及び第２実施形態の変形例に係る回転体の斜視図である。
【発明を実施するための形態】
【００１４】
（第１実施形態）
以下、本発明に係る栽培ハウスの第１実施形態について図面を参照しつつ説明する。
【００１５】
第１実施形態に係る栽培ハウス１は、図１及び図２に示すように、植物Ｐを保持した保持部材５を内部に収容する第１の回転体２、及びこの第１の回転体２を内部に収容する第２の回転体３を備えており、第１及び第２の回転体２，３は、水平軸周りに回転可能なよう支持台４に支持されている。
【００１６】
第１の回転体２は、図１及び図２に示すように、複数の円筒部２１を備えており、支持台４の脚部４２間に円筒部２１が１つずつ配置されている。各円筒部２１は、複数の環状フレーム２１１、及びこの複数の環状フレーム２１１を連結する複数の水平フレーム２１２を有しており、側面の半周が第１の遮光資材２１３で形成され、残りの半周は開放されている。この第１の遮光資材２１３としては、光の少なくとも一部を遮断することができれば特に限定されるものではないが、例えば、網目状の遮光ネットや寒冷紗の他、光を完全に遮断することができるフィルム等も使用することができる。なお、第１の回転体２の両端面は、開放されていてもよく、また、第１の遮光資材２１３又は後述する透明資材３１３で覆われていてもよい。
【００１７】
図１及び図２に示すように、第２の回転体３は、第１の回転体２と同様、複数の円筒部３１を備えており、各円筒部３１は、複数の環状フレーム３１１、及びこの複数の環状フレーム３１１を連結する複数の水平フレーム３１２を有している。各円筒部３１は、側面の半周が透明資材３１３で形成されており、残りの半周は開放されている。透明資材３１３としては、光を透過させるものであれば特に限定されるものではないが、例えば、ビニールシート、断熱率や光透過性が高いフィルム、光合成活性が低い緑色波長域（５００ｎｍ〜６００ｎｍ）の光を光合成活性が高い赤色波長域（６００ｎｍ〜７００ｎｍ）の光に変換するフィルム、又は赤色波長域の光を選択的に通すフィルム等を使用することができる。なお、第２の回転体３の両端面は、開放されていてもよく、また、透明資材３１３で覆われていてもよい。
【００１８】
支持台４は、図１に示すように、植物Ｐを保持する保持部材５が複数載置される載置部４１と、複数の脚部４２とを備えている。各脚部４２には、図２に示すように、第２及び第３の回転体２，３を回転可能に支持する複数の転動体６が設けられている。この複数の転動体６は、回転軸６１に接続された駆動源（図示省略）によって水平軸周りに回転させられるよう構成されていてもよい。載置部４１は、載置された保持部材５を水平方向に搬送することができるよう、複数の円筒コロ（図示省略）で構成することもできる。
【００１９】
図３に示すように、支持台４の少なくとも一方の端部には、各保持部材５を昇降させるための昇降機構７が設けられていてもよい。この昇降機構７は、例えば、チェーン７２の巻き取り及び送り出しにより、保持部材５を収容する昇降ケージ７１が昇降するよう構成されている。この昇降機構７は、昇降ケージ７１が保持部材５ごと反転するよう構成されていてもよく、この場合、昇降ゲージ７１の下方には液体が貯留される貯留槽８が設けられていることが好ましい。これにより、保持部材５上の植物Ｐを貯留槽８内の液体に浸漬し、例えば、害虫駆除や、葉面施肥、有害物質の除去等を行うことができる。
【００２０】
保持部材５は、図４に示すように、中空の箱状であって上下に分割されている。保持部材５の上面には複数の貫通孔５１が設けられており、この貫通孔５１によって、葉茎部が保持部材５の上面に露出するとともに根部が保持部材５の内部に収容されるよう植物Ｐが保持される。保持部材５は、注入管５２及び排出管５３を有しており、この注入管５２を介して培養液タンク（図示省略）から内部に培養液が注入され、排出管５３を介して内部から排出された培養液が培養液タンク（図示省略）に戻されるよう構成されている。保持部材５内に注入される培養液としては、特に限定されるものではないが、水の他、窒素、リン酸、若しくはカリ等の化学肥料、又は堆肥抽出液若しくは動植物の発酵液等の有機肥料を適当な溶媒に溶解させたものを使用することができ、天然の植物生長促進剤又は天然の害虫忌避剤を添加することもできる。なお、保持部材５の内部には必要に応じて保水材（図示省略）を収容しておくことができ、この保水材としては、特に限定されるものではないが、例えば、発泡スチロールチップや、発砲ポリウレタンチップ、スポンジチップ、糸玉、紙片、又は繊維マット等が挙げられる。
【００２１】
保持部材５の形状は、特に限定されるものではないが、例えば、縦３００〜５０００ｍｍ×横１００〜１０００ｍｍ×高さ１０〜１００ｍｍの直方体状とすることができ、側壁の厚さを１０〜１５０ｍｍとすることができる。また、貫通孔５１の大きさとしては、例えば、直径１０〜２００ｍｍとすることができ、各貫通孔５１間の間隔は、例えば、５０〜６００ｍｍとすることができる。保持部材５の材質としては、断熱性を有するものが好ましいが特に限定されるものではなく、例えば、ポリスチレン樹脂、ポリウレタン樹脂、又はポリエチレン樹脂等の合成樹脂発泡体や、合成樹脂発泡体と、合成樹脂板、木板、又はステンレス等の金属板との複合材等を用いることができ、合成樹脂発泡体で保持部材５を形成した場合は、保持部材５の表面にポリウレタン樹脂塗料（登録商標リボールマイティ）等の防水塗料を塗布することが好ましい。
【００２２】
次に、上述したように構成された栽培ハウス１の使用方法について説明する。
【００２３】
栽培ハウス１は、特に日差しの強い夏季において以下のように使用される。すなわち、昼間には、第１の遮光資材２１３が植物Ｐの上方に位置するよう第１の回転体２を回転させ、この第１の遮光資材２１３で植物Ｐを覆うことにより、植物Ｐに照射される日光を遮断する（図５（ａ））。一方、第２の回転体３は、透明資材３１３で覆われていない部分（開放された部分）が植物Ｐの上方に配置されており、この部分から外気を取り込むことで植物Ｐの周囲が高温となるのを抑制する。夜間には、第１の遮光資材２１３が植物Ｐの下方に位置するよう、第１の回転体２を反転させてもよい（図５（ｂ））。また、風雨の際には、第２の回転体３を反転させて透明資材３１３で植物Ｐを覆うことにより、植物Ｐを風雨から保護することができる（図５（ｃ））。
【００２４】
このように、第１実施形態に係る栽培ハウス１は、第１の回転体２を回転させるだけで第１の遮光資材２１３で植物Ｐを覆うことができ、植物Ｐに照射される日光を遮断することができるため、特に夏季において、適切な栽培環境を容易に作ることができる。また、第２の回転体３の側面の半周が開放されていることにより、栽培ハウス１内に外気を取り込むことができ、栽培ハウス内が高温となるのを防止することができる。なお、第１の遮光材２１３が光を完全に遮断することができるものである場合は、第１の遮光資材２１３で植物Ｐを覆えば、人工的に夜間の環境を作ることができ、植物Ｐに対する日照時間を調整することができる。
【００２５】
上記第１実施形態の栽培ハウス１は、第１及び第２の回転体２，３を備えていたが、第１の回転体２のみを備えていてもよく、また、３つ以上の回転体を備えることもできる。例えば、図６に示すように、栽培ハウス１は、第１の回転体２内に第３の回転体９が設けられていてもよい。この第３の回転体９は、第１の回転体２と同様に、水平軸周りに回転可能なよう支持台４に支持されており、側面の半周が第２の遮光資材９１３で形成されている。この構成によれば、例えば、比較的日差しが弱い午前中には、第１の回転体２における第１の遮光資材２１３のみで植物Ｐを覆って植物Ｐに照射される日光を遮断し（図６（ａ））、日差しが強い午後には、第３の回転体９を反転させ、第１及び第２の遮光資材２１３，９１３を重ねて植物Ｐを覆い、第１及び第２の遮光資材２１３，９１３の双方で植物Ｐに照射される日光を遮断する（図６（ｂ））というように、日差しの強さに応じて遮光率を変更することができる。なお、第１及び第２の遮光資材２１３，９１３自体の遮光率は、同じであっても相違していてもよい。また、第２の遮光資材９１３が網目の細かいネットであれば、第２の遮光資材９１３を害虫除けとしても使用することができ、例えば、夜間において第２の遮光資材９１３のみで植物Ｐを覆うこともできる（図６（ｃ））。
【００２６】
また、上記第１実施形態の栽培ハウス１において、第１の回転体２は、側面の半周が第１の遮光資材２１３で形成され、残りの半周が開放されていたが、第１の遮光資材２１３以外の部分が開放されていなくてもよい。
【００２７】
また、上記第１実施形態の栽培ハウス１において、第２の回転体３は、側面の半周が透明資材３１３で形成され、残りの半周が開放されていたがこれに限定されず、内部に外気を取り込むことができるよう側面の少なくとも一部が開放されていればよい。また、第２の回転体３は、側面全体を透明資材３１３で形成することもでき、この場合は側面又は端面に換気窓を設けることが好ましい。
【００２８】
（第２実施形態）
以下、本発明に係る栽培ハウスの第２実施形態について図面を参照しつつ説明する。なお、第１実施形態と同様の構成については、同じ符号を付して説明を省略する。
【００２９】
第２実施形態に係る栽培ハウス１０において、第１の回転体２０は、図７に示すように、側面の半周が透明資材２０１３で形成されており、残りの半周が第１の断熱資材２０１４で形成されている。第２の回転体３０は、側面全体が透明資材３０１３で形成されている。透明資材２０１３，３０１３としては、第１実施形態の透明資材３１３と同様のものを使用することができ、第１の断熱資材２０１４としては、特に限定されるものではないが、断熱効果が高いフィルムや断熱資材シートを使用することができる。なお、第１及び第２の回転体２０，３０の両端面は、透明資材２０１３，３０１３又は第１の断熱資材２０１４で覆われていることが好ましい。
【００３０】
このように構成された栽培ハウス１０は、特に気温の低い冬季において使用される。すなわち、昼間は、第１の回転体２０の第１の断熱資材２０１４を植物Ｐの下方に配置しておき（図８（ａ））、夜間は、第１の断熱資材２０１４で植物Ｐを覆うよう第１の回転体２０を反転させる（図８（ｂ））。
【００３１】
このように、第２実施形態に係る栽培ハウス１０は、第１の回転体２０を反転させるだけで第１の断熱資材２０１４によって植物Ｐを覆うことができ、外気から植物Ｐを保護することができるため、特に冬季において、適切な栽培環境を容易に作ることができる。また、降雪の際、第２の回転体３０を回転させることにより第２の回転体２０から雪を落下させることができ、雪の重量で栽培ハウス１０が破損するのを防止することができる。
【００３２】
上記第２実施形態の栽培ハウス１０は、第１の回転体２０のみを備えていてもよく、また、３つ以上の回転体を備えていてもよい。例えば、図９に示すように、第１の回転体２０内に第３の回転体９０を設けることもできる。第３の回転体９０は、第１の回転体２０と同様に、側面の半周が透明資材９０１３で形成されており、残りの半周が第２の断熱資材９０１４で形成されている。これにより、第１及び第２の断熱資材２０１４，９０１４を重ねて植物Ｐを覆うことができ、より高い断熱効果を得ることができる（図９（ａ））。また、必要に応じて、第１及び第２の断熱資材２０１４，９０１４のいずれか一方で植物Ｐを覆うこともでき（図９（ｂ））、第１及び第２の断熱資材２０１４，９０１４自体の断熱率は同じであっても相違していてもよい。
【００３３】
また、上記第２実施形態の栽培ハウス１０において、第１の回転体２０は、側面の半周が透明資材２０１３で形成され、残りの半周が第１の断熱資材２０１４で形成されていたが、側面全体が透明資材２０１３で形成されるとともに側面の半周が第１の断熱資材２０１４で覆われるよう構成されていてもよい。
【００３４】
以上、本発明の実施形態について説明したが、本発明はこれらに限定されるものではなく、本発明の趣旨を逸脱しない限りにおいて種々の変更が可能である。例えば、上記実施形態において、第１の回転体は、側面の半周が遮光又は断熱されていたが、遮光又は断熱された部分が植物Ｐの上方に配置された際、植物Ｐに直接外光が当たらないよう、又は植物Ｐの周囲の温度を維持できるよう、植物Ｐを覆うことができる程度の面積が遮光又は断熱されていればよい。
【００３５】
また、上記実施形態において、各回転体は複数の円筒部を備えていたが、１つの円筒部で回転体を構成することもできる。
【００３６】
また、図１０に示すように、各回転体は、支持フレームＦ、及びこの支持フレームＦに摺動可能に支持される資材Ｍを備えるよう構成されていてもよく、これにより、資材Ｍを容易に交換することが可能となる。この資材Ｍとしては、上述した透明資材、遮光資材、又は断熱資材を選択的に用いることができる。
【００３７】
また、例えばブラシやモップといった清掃器具を、各回転体の外周面に当接するよう設けることもできる。これにより、各回転体を回転させることで各回転体の外周面を容易に清掃することができる。
【００３８】
また、上記実施形態においては、各回転体は円筒形状に形成されていたが、水平軸周りに回転可能であればよく、例えば、多角形状や球状等、種々の形状に形成することができる。
【００３９】
また、上記実施形態においては、支持台４の載置部４１は一段であったが、二段以上設けられていてもよい。この場合は、支持台４の両端に昇降機構７を設け、少なくとも一方の昇降機構７が保持部材５を反転させることができるよう構成することが好ましい。
【００４０】
また、上記実施形態においては、保持部材５として中空の箱状のものを用いていたが、植物Ｐを保持することができればこれに限定されず、パネル状のものや、プランタ等、種々のものを保持部材として用いることができる。また、支持台４に植物を直接植えることができれば、別途保持部材を使用する必要はない。
【符号の説明】
【００４１】
１，１０      栽培ハウス
２，２０      第１の回転体
２１３        第１の遮光資材
２０１４      第１の断熱資材
３，３０      第２の回転体
９，９０      第３の回転体
９１３        第２の遮光資材
９０１４      第２の断熱資材
【図１】
2013039052.tif 000003
【図２】
2013039052.tif 000004
【図３】
2013039052.tif 000005
【図４】
2013039052.tif 000006
【図５】
2013039052.tif 000007
【図６】
2013039052.tif 000008
【図７】
2013039052.tif 000009
【図８】
2013039052.tif 000010
【図９】
2013039052.tif 000011
【図１０】
2013039052.tif 000012